(57)【要約】【課題】自分のオブジェクトの表示が他のユーザーのオブジェクトによって邪魔されることを抑制できる情報処理装置を提供する。【解決手段】情報処理装置１０は、表示部２１と、オブジェクト管理部５１と、オブジェクト制御部５４とを備える。表示部２１は、オブジェクトを表示する。オブジェクト管理部５１は、オブジェクトのオーナー属性を管理する。オブジェクト制御部５４は、オブジェクトのオーナー属性に基づいて、表示部２１におけるオブジェクトの表示優先順位を制御する。【選択図】図３
2020101892.tif 000002
【特許請求の範囲】
【請求項１】
オブジェクトを表示する表示部と、
前記オブジェクトのオーナー属性を管理する第１管理部と、
前記オブジェクトのオーナー属性に基づいて、前記表示部における前記オブジェクトの表示優先順位を制御する表示制御部と
を備えた、情報処理装置。
【請求項２】
前記表示部の一部分をなす領域のオーナー属性を管理する第２管理部を更に備え、
前記表示制御部は、前記オブジェクトのオーナー属性と、前記領域のオーナー属性とに基づいて、前記領域における前記オブジェクトの表示優先順位を制御する、請求項１に記載の情報処理装置。
【請求項３】
前記表示制御部は、前記オブジェクトのオーナー属性と前記領域のオーナー属性とが一致する場合には、一致しない場合に比べて前記オブジェクトの前記領域における表示優先順位を高くする、請求項２に記載の情報処理装置。
【請求項４】
前記第１管理部は、前記オブジェクトを作成したユーザーを示すオーナー属性を前記オブジェクトに設定する、請求項１から請求項３のいずれか１項に記載の情報処理装置。
【請求項５】
前記表示部は、タッチパネルであり、
前記タッチパネルにタッチするペンのオーナー属性を管理する第３管理部を更に備えた、請求項１から請求項４のいずれか１項に記載の情報処理装置。
【請求項６】
前記第１管理部は、前記オブジェクトにタッチしたペンのオーナー属性と同一のオーナー属性を前記オブジェクトが有するように、前記オブジェクトのオーナー属性を変更する、請求項５に記載の情報処理装置。
【請求項７】
前記第２管理部は、前記表示部にタッチした前記ペンの位置を含む一定の大きさの領域に、前記ペンのオーナー属性と同一のオーナー属性を設定する、請求項５又は請求項６に記載の情報処理装置。
【請求項８】
前記第２管理部は、前記表示部において前記ペンにより画定された領域に、前記ペンのオーナー属性と同一のオーナー属性を設定する、請求項５又は請求項６に記載の情報処理装置。
【請求項９】
前記表示部は、複数のユーザーに共用される、請求項１から請求項８のいずれか１項に記載の情報処理装置。
【発明の詳細な説明】
【技術分野】
【０００１】
本発明は、情報処理装置に関する。
【背景技術】
【０００２】
特許文献１に記載された情報処理装置は、アプリケーション間の優先度の高低に応じてウィンドウの重ね表示を制御する。高い優先度を有するアプリケーションのウィンドウが前面側のレイヤーに表示され、低い優先度を有するアプリケーションのウィンドウの少なくとも一部が隠される。
【０００３】
一方、テーブル型タッチディスプレイ装置のような、大画面を有する表示装置を備えた情報処理装置が知られている。表示装置を複数のユーザーが共用する場合、各ユーザーは、画面上にそれぞれオブジェクトを表示して作業をすることができる。オブジェクトとは、画像、文書、ウィンドウ、又はアイコンのような表示情報をいう。
【０００４】
テーブル型タッチディスプレイ装置を使用する各ユーザーは、画面上のオブジェクトをテーブルの上に置いた資料のように、タッチ操作で動かしたり、他のユーザーに配布したりすることができる。これにより、複数のユーザーによる会議が実現可能である。
【０００５】
例えば、特許文献２に記載された表示制御装置は、大型表示タッチパネルに設けられたユーザー位置センサにより、ユーザー数と位置を認識し、認識したユーザー数と位置に従って大型表示タッチパネルの表示エリアを複数の表示エリアに分割してユーザー位置に対応して表示させる。また、進行役用の表示エリアに表示されているファイルをドラッグ操作することにより、ドラッグ方向にある他の参加者用の表示エリアに進行役用の表示エリアに表示されているファイルと同じ文書データのファイルを表示させることが開示されている。
【先行技術文献】
【特許文献】
【０００６】
【特許文献１】特開２００９−１６３５０９号公報
【特許文献２】特開２００８−２６９０４４号公報
【発明の概要】
【発明が解決しようとする課題】
【０００７】
ディスプレイ装置を使用する場合、各ユーザーは、多くの場合、自分のオブジェクトの表示及び編集作業をするための領域を確保することを希望する。ユーザーは、他のユーザーのオブジェクトが自分の領域に越境してきたり、他のユーザーから配布されたオブジェクトが自分の領域に入ってきたりすると邪魔に思うことがある。
【０００８】
上記した課題に鑑み、本発明は、自分のオブジェクトの表示が他のユーザーのオブジェクトによって邪魔されることを抑制できる情報処理装置を提供することを目的とする。
【課題を解決するための手段】
【０００９】
本発明の情報処理装置は、表示部と、第１管理部と、表示制御部とを備える。前記表示部は、オブジェクトを表示する。前記第１管理部は、前記オブジェクトのオーナー属性を管理する。前記表示制御部は、前記オブジェクトのオーナー属性に基づいて、前記表示部における前記オブジェクトの表示優先順位を制御する。
【発明の効果】
【００１０】
本発明によれば、自分のオブジェクトの表示が他のユーザーのオブジェクトによって邪魔されることを抑制できる。
【図面の簡単な説明】
【００１１】
【図１】本発明の実施形態に係る情報処理装置の一例を示す斜視図である。
【図２】情報処理装置の平面図である。
【図３】情報処理装置のブロック図である。
【図４】オブジェクト管理テーブルの一例を示す図である。
【図５】領域管理テーブルの一例を示す図である。
【図６】ペン管理テーブルの一例を示す図である。
【図７】制御部のオブジェクト管理動作の一例を示すフローチャートである。
【図８】制御部の領域管理動作の一例を示すフローチャートである。
【図９】制御部のオブジェクト制御動作の一例を示すフローチャートである。
【図１０】表示装置の表示の一例を示す図である。
【図１１】表示装置の他の表示例を示す図である。
【図１２】表示装置の更に他の表示例を示す図である。
【発明を実施するための形態】
【００１２】
本発明の実施形態について、図１〜図１２を参照しながら説明する。なお、図中、同一又は相当部分については同一の参照符号を付して説明を繰り返さない。
【００１３】
まず、図１及び図２を参照して、実施形態に係る情報処理装置１０の外観について説明する。図１は、情報処理装置１０の一例を示す斜視図である。図２は、情報処理装置１０の平面図である。情報処理装置１０は、テーブル型タッチディスプレイ装置として構成されている。
【００１４】
図１に示されるように、情報処理装置１０は、脚１５と、表示装置２０とを備える。表示装置２０は、テーブルの天板部分に相当する。脚１５は、表示装置２０を支持する。
【００１５】
図２に示されるように、表示装置２０は、ワークエリアＷを有する。ワークエリアＷは、ユーザーが画像を用いて作業を行う領域である。例えば、第１オブジェクトＸ１と第２オブジェクトＸ２とがワークエリアＷに表示される。
【００１６】
次に、図３を参照して、情報処理装置１０の機能ブロック構成について説明する。図３は、情報処理装置１０のブロック図である。
【００１７】
図３に示されるように、情報処理装置１０は、表示装置２０に加えて、タッチデータ受信部２５と、複数のタッチペン３０と、ペンデータ受信部３５と、記憶部４０と、制御部５０とを備える。
【００１８】
表示装置２０は、表示部２１と、タッチ入力部２２とを含む。表示部２１は、オブジェクトを表示するように、例えば液晶パネルとして構成される。タッチ入力部２２は、例えばタッチパネルとして構成される。
【００１９】
タッチデータ受信部２５は、タッチ入力部２２から送られるタッチデータを受信する。タッチデータは、タッチ入力部２２におけるタッチ位置を示すデータを含む。
【００２０】
複数のタッチペン３０は、タッチ入力部２２へのタッチ操作のためのツールである。複数のタッチペン３０の各々には、互いに異なるペンＩＤが割り当てられている。
【００２１】
ペンデータ受信部３５は、タッチペン３０からタッチ操作の際に近距離無線通信で送られるペンデータを受信する。ペンデータは、タッチペン３０のペンＩＤを含む。
【００２２】
記憶部４０は、記憶装置を含み、データ及びコンピュータプログラムを記憶する。記憶部４０は、半導体メモリのような主記憶装置と、ハードディスクドライブのような補助記憶装置とを含む。
【００２３】
記憶部４０は、オブジェクト管理テーブル４１と、領域管理テーブル４２と、ペン管理テーブル４３と、文書フォルダ４４とを含む。オブジェクト管理テーブル４１は、表示部２１に表示されるオブジェクトと、オブジェクトオーナーとの関係を記憶する。領域管理テーブル４２は、表示部２１の一部分をなす領域と、領域オーナーとの関係を記憶する。ペン管理テーブル４３は、タッチペン３０のペンＩＤと、ペンオーナーとの関係を記憶する。文書フォルダ４４は、文書ファイルを記憶する。例えば文書ファイルから、その表示情報である文書オブジェクトが生成される。
【００２４】
制御部５０は、ＣＰＵ（Ｃｅｎｔｒａｌ  Ｐｒｏｃｅｓｓｉｎｇ  Ｕｎｉｔ）のようなプロセッサーを含む。制御部５０のプロセッサーは、記憶部４０に記憶されたコンピュータプログラムを実行することによって、情報処理装置１０の各構成を制御する。
【００２５】
ユーザーは、手指又は手の平を使ったタッチ操作によってオブジェクトに対する操作を指定することができる。例えば、オブジェクトの移動、拡縮、回転といった操作や、オブジェクトに対する描画操作が指定可能である。また、ユーザーは、タッチペン３０を使ったタッチ操作によって、後述する種々の操作を指定することもできる。
【００２６】
制御部５０は、タッチデータ受信部２５を介して受信したタッチデータに基づいて、タッチ操作の位置を検知する。また、制御部５０は、ペンデータ受信部３５を介して受信したペンデータに基づいて、いずれのタッチペン３０によりタッチ操作が行われたかを検知する。
【００２７】
制御部５０は、オブジェクト管理部５１と、領域管理部５２と、ペン管理部５３と、オブジェクト制御部５４とを有する。制御部５０は、記憶部４０に記憶されたコンピュータプログラムを実行することによって、オブジェクト管理部５１、領域管理部５２、ペン管理部５３、及びオブジェクト制御部５４として機能する。
【００２８】
オブジェクト管理部５１は、オブジェクト管理テーブル４１の作成及び更新を実行することにより、表示部２１に表示されるオブジェクトのオーナー属性を管理する。オブジェクト管理部５１は、「第１管理部」の一例に相当する。
【００２９】
領域管理部５２は、領域管理テーブル４２の作成及び更新を実行することにより、表示部２１の一部分をなす領域のオーナー属性を管理する。領域管理部５２は、「第２管理部」の一例に相当する。
【００３０】
ペン管理部５３は、ペン管理テーブル４３の作成及び更新を実行することにより、タッチペン３０のオーナー属性を管理する。ペン管理部５３は、「第３管理部」の一例に相当する。
【００３１】
制御部５０は、不図示のユーザー登録ルーチンを実行する。表示装置２０の共用を希望するユーザーは、ユーザー登録ルーチンの実行画面において自分の名前を登録する。制御部５０は、参加ユーザーの名前及び数を認識する。ワークエリアＷは、初期状態として、例えば参加ユーザーの数と等しい数の領域に均等分割される。ユーザーは、更に自分が使用するタッチペン３０のペンＩＤを登録する。その結果、ペン管理テーブル４３が作成される。
【００３２】
オブジェクト制御部５４は、文書フォルダ４４の中の指定された文書ファイルを開き、指定された文書ファイルに係るオブジェクトが表示部２１に表示されるように、表示部２１を制御する。また、オブジェクト制御部５４は、オブジェクトのオーナー属性に基づいて、表示部２１におけるオブジェクトの表示優先順位を制御する。具体的に説明すると、オブジェクト制御部５４は、オブジェクトのオーナー属性と、領域のオーナー属性とに基づいて、領域におけるオブジェクトの表示優先順位を制御する。オブジェクト制御部５４は、「表示制御部」の一例に相当する。
【００３３】
次に、図３及び図４を参照して、オブジェクト管理テーブル４１について説明する。図４は、オブジェクト管理テーブル４１の一例を示す図である。
【００３４】
オブジェクト管理テーブル４１は、表示部２１に表示されるオブジェクトと、オブジェクトオーナーとの関係を記憶する。例えば、オブジェクトＡ１及びオブジェクトＡ２のオーナーはＡさん、オブジェクトＢ１のオーナーはＢさんという情報が、オブジェクト管理テーブル４１に記憶される。
【００３５】
次に、図３及び図５を参照して、領域管理テーブル４２について説明する。図５は、領域管理テーブル４２の一例を示す図である。
【００３６】
領域管理テーブル４２は、表示部２１の一部分をなす領域と、領域オーナーとの関係を記憶する。例えば、領域Ｒ１のオーナーはＡさん、領域Ｒ２のオーナーはＢさんという情報が、領域管理テーブル４２に記憶される。
【００３７】
次に、図３及び図６を参照して、ペン管理テーブル４３について説明する。図６は、ペン管理テーブル４３の一例を示す図である。
【００３８】
ペン管理テーブル４３は、タッチペン３０のペンＩＤと、ペンオーナーとの関係を記憶する。例えば、「００１」のペンＩＤを有するタッチペン３０のオーナーはＡさん、「００２」のペンＩＤを有するタッチペン３０のオーナーはＢさんという情報が、ペン管理テーブル４３に記憶される。
【００３９】
次に、図３〜図９を参照して、制御部５０の動作について説明する。図７は、制御部５０のオブジェクト管理動作の一例を示すフローチャートである。図８は、制御部５０の領域管理動作の一例を示すフローチャートである。図９は、制御部５０のオブジェクト制御動作の一例を示すフローチャートである。制御部５０は、オブジェクト管理動作、領域管理動作、及びオブジェクト制御動作を一組の動作として、これら一組の動作を繰り返す。
【００４０】
ステップＳ１００：制御部５０は、図７に示されるように、オブジェクトの元ファイルを作成し又は配布した人が判明しているか否かを判定する。オブジェクトの元ファイルを作成し又は配布した人が判明している場合（ステップＳ１００でＹＥＳ）、制御部５０の処理がステップＳ１０２へ進む。オブジェクトの元ファイルを作成し又は配布した人が判明していない場合（ステップＳ１００でＮＯ）、制御部５０の処理がステップＳ１０４へ進む。
【００４１】
ステップＳ１０２：制御部５０は、オブジェクトの元ファイルを作成し又は配布した人をオブジェクトオーナーとして、オブジェクト管理テーブル４１に登録する。ステップＳ１０２の処理が完了すると、制御部５０のオブジェクト管理動作が終了する。
【００４２】
ステップＳ１０４：制御部５０は、タッチペン３０によるオブジェクトへのタッチ操作があるか否かを判定する。タッチペン３０によるオブジェクトへのタッチ操作がある場合（ステップＳ１０４でＹＥＳ）、制御部５０の処理がステップＳ１０６へ進む。タッチペン３０によるオブジェクトへのタッチ操作がない場合（ステップＳ１０４でＮＯ）、制御部５０の処理がステップＳ１０８へ進む。
【００４３】
ステップＳ１０６：制御部５０は、タッチペン３０のオーナーをオブジェクトオーナーとして、オブジェクト管理テーブル４１に登録する。ステップＳ１０６の処理が完了すると、制御部５０のオブジェクト管理動作が終了する。
【００４４】
ステップＳ１０８：制御部５０は、タッチペン３０による描画でオブジェクトが作成されたか否かを判定する。タッチペン３０による描画でオブジェクトが作成された場合（ステップＳ１０８でＹＥＳ）、制御部５０の処理がステップＳ１０６へ進む。タッチペン３０による描画でオブジェクトが作成されていない場合（ステップＳ１０８でＮＯ）、制御部５０のオブジェクト管理動作が終了する。
【００４５】
ステップＳ１００及びステップＳ１０２の処理によれば、制御部５０は、オブジェクトの元ファイルを作成し又は配布した人がオブジェクトオーナーになるように、オブジェクトのオーナー属性を初期設定する。また、ステップＳ１０４及びステップＳ１０６の処理によれば、制御部５０は、オブジェクトにタッチしたタッチペン３０のオーナー属性と同一のオーナー属性をオブジェクトが有するように、オブジェクトのオーナー属性を変更する。更に、ステップＳ１０８及びステップＳ１０６の処理によれば、制御部５０は、オブジェクトを作成したユーザーを示すオーナー属性をオブジェクトに設定する。
【００４６】
ステップＳ２００：制御部５０は、図８に示されるように、タッチペン３０によるオブジェクト外へのタッチ操作があるか否かを判定する。タッチペン３０によるオブジェクト外へのタッチ操作がある場合（ステップＳ２００でＹＥＳ）、制御部の処理がステップＳ２０２へ進む。タッチペン３０によるオブジェクト外へのタッチ操作がない場合（ステップＳ２００でＮＯ）、制御部５０の動作がステップＳ２０６へ進む。この場合のタッチ操作は、タッチしたペン３０を移動させることなくタッチアップする操作である。
【００４７】
ステップＳ２０２：制御部５０は、タッチペン３０のタッチ位置を含む一定の大きさの領域を確保する。ステップＳ２０２の処理が完了すると、制御部５０の処理がステップＳ２０４へ進む。
【００４８】
ステップＳ２０４：制御部５０は、タッチペン３０のオーナーを領域オーナーとして、領域管理テーブル４２に登録する。ステップＳ２０４の処理が完了すると、制御部５０の領域管理動作が終了する。
【００４９】
ステップＳ２０６：制御部５０は、タッチペン３０による描画で領域が画定されたか否かを判定する。タッチペン３０による描画で領域が画定された場合（ステップＳ２０６でＹＥＳ）、制御部５０の処理がステップＳ２０４へ進む。タッチペン３０による描画で領域が画定されていない場合（ステップＳ２０６でＮＯ）、制御部５０の領域管理動作が終了する。
【００５０】
ステップＳ２００、ステップＳ２０２、及びステップＳ２０４の処理によれば、制御部５０は、表示部２１にタッチしたタッチペン３０の位置を含む一定の大きさの領域に、タッチペン３０のオーナー属性と同一のオーナー属性を設定する。また、ステップＳ２０６及びステップＳ２０４の処理によれば、制御部５０は、表示部２１においてタッチペン３０により画定された領域に、タッチペン３０のオーナー属性と同一のオーナー属性を設定する。
【００５１】
ステップＳ３００：制御部５０は、図９に示されるように、１つの領域を選択する。ステップＳ３００の処理が完了すると、制御部５０の処理がステップＳ３０２へ進む。
【００５２】
ステップＳ３０２：制御部５０は、１つのオブジェクトを選択する。ステップＳ３０２の処理が完了すると、制御部５０の処理がステップＳ３０４へ進む。
【００５３】
ステップＳ３０４：制御部５０は、ステップＳ３０２で選択されたオブジェクトのオーナーと、ステップＳ３００で選択された領域のオーナーとが一致するか否かを判定する。オブジェクトオーナーと領域オーナーとが一致する場合（ステップＳ３０４でＹＥＳ）、制御部５０の処理がステップＳ３０６へ進む。オブジェクトオーナーと領域オーナーとが一致しない場合（ステップＳ３０４でＮＯ）、制御部５０の処理がステップＳ３０８へ進む。
【００５４】
ステップＳ３０６：制御部５０は、ステップＳ３０２で選択されたオブジェクトの表示優先順位を「高」に設定する。ステップＳ３０６の処理が完了すると、制御部５０の処理がステップＳ３１０へ進む。
【００５５】
ステップＳ３０８：制御部５０は、ステップＳ３０２で選択されたオブジェクトの表示優先順位を「低」に設定する。ステップＳ３０８の処理が完了すると、制御部５０の処理がステップＳ３１０へ進む。
【００５６】
ステップＳ３１０：制御部５０は、ステップＳ３０６又はステップＳ３０８で設定された表示優先順位にしたがって、ステップＳ３００で選択された領域内に、ステップＳ３０２で選択されたオブジェクトを表示する。ステップＳ３１０の処理が完了すると、制御部５０の処理がステップＳ３１２へ進む。
【００５７】
ステップＳ３１２：制御部５０は、次のオブジェクトがあるか否かを判定する。次のオブジェクトがある場合（ステップＳ３１２でＹＥＳ）、制御部５０の処理がステップＳ３０２に戻る。次のオブジェクトがない場合（ステップＳ３１２でＮＯ）、制御部５０の処理がステップＳ３１４へ進む。
【００５８】
ステップＳ３１４：制御部５０は、次の領域があるか否かを判定する。次の領域がある場合（ステップＳ３１４でＹＥＳ）、制御部５０の処理がステップＳ３００に戻る。次の領域がない場合（ステップＳ３１４でＮＯ）、制御部５０のオブジェクト制御動作が終了する。
【００５９】
ステップＳ３００〜ステップＳ３１４の処理によれば、制御部５０は、オブジェクトのオーナー属性と領域のオーナー属性とが一致する場合には、一致しない場合に比べて、領域におけるオブジェクトの表示優先順位を高くする。
【００６０】
表示優先順位は、あるオブジェクトを他のオブジェクトよりも目立たなくするか否かを意味する。制御部５０は、例えば、表示優先順位の低いオブジェクトを背面側のレイヤーに表示する第１規則を適用する。制御部５０は、表示優先順位の低いオブジェクトを透明化して表示する第２規則を適用してもよい。制御部５０は、表示優先順位の低いオブジェクトを縮小化又はアイコン化して表示する第３規則を適用してもよい。制御部５０は、表示優先順位の低いオブジェクトを非表示にする第４規則を適用してもよい。また、制御部５０は、高い表示優先順位を有するオブジェクトと、低い表示優先順位を有するオブジェクトとが重なった場合にのみ第１、第２、又は第３規則を適用してもよい。また、制御部５０は、低い表示優先順位を有するオブジェクトが領域を跨いで表示される場合、つまりオブジェクトが越境した場合には、そのオブジェクトの越境部分にのみ第１、第２、又は第３規則を適用してもよい。
【００６１】
次に、図３〜図１２を参照して、表示装置２０の表示例について説明する。図１０〜図１２は、表示装置２０のワークエリアＷにおける表示例をそれぞれ示す図である。
【００６２】
図１０に示されるように、ワークエリアＷは、Ａさん及びＢさんという２人のユーザーにより共用される。ワークエリアＷは、境界線６１によって、領域Ｒ１と領域Ｒ２とに均等に分割されている。領域Ｒ１にはオブジェクトＡ１及びオブジェクトＡ２が、領域Ｒ２にはオブジェクトＢ１がそれぞれ表示されていたものとする。
【００６３】
図４に示されるように、オブジェクトＡ１及びオブジェクトＡ２のオーナーはＡさん、オブジェクトＢ１のオーナーはＢさんである。また、図５に示されるように、領域Ｒ１のオーナーはＡさん、領域Ｒ２のオーナーはＢさんである。更に、図６に示されるように、Ａさんは「００１」のペンＩＤを有するタッチペン３０のオーナーであり、Ｂさんは「００２」のペンＩＤを有するタッチペン３０のオーナーである。
【００６４】
領域Ｒ１において、オブジェクトＡ１及びオブジェクトＡ２のいずれについても、オブジェクトオーナーと領域オーナーとがいずれもＡさんで一致する。また、領域Ｒ２のオブジェクトＢ１については、オブジェクトオーナーと領域オーナーとがいずれもＢさんで一致する。したがって、オブジェクトＡ１、オブジェクトＡ２、及びオブジェクトＢ１のいずれについても、表示優先順位が「高」に設定される（図９のステップＳ３０６参照）。
【００６５】
図１０中に矢印で示されるように、Ｂさんが手指を使ったタッチ操作により、オブジェクトＢ１を領域Ｒ２から領域Ｒ１へ移動させたものとする。領域Ｒ１のオーナーはＡさんであり、オブジェクトＢ１のオーナーはＢさんである。領域Ｒ１のオブジェクトＢ１については、オブジェクトオーナーと領域オーナーとが一致しない。したがって、オブジェクトＢ１は、表示優先順位が「低」に設定される（図９のステップＳ３０８参照）。その結果、例えば、オブジェクトＡ２が前面側のレイヤーに、オブジェクトＢ１が背面側のレイヤーにそれぞれ表示される（図９のステップＳ３１０参照）。つまり、Ａさんにとっては、自分のオブジェクトＡ１及びオブジェクトＡ２の表示が、ＢさんのオブジェクトＢ１によって邪魔されることが抑制できる。
【００６６】
Ａさんは、オブジェクトＢ１を自分のオブジェクトとして受け入れる場合には、自分のタッチペン３０でオブジェクトＢ１にタッチ操作をする。その結果、オブジェクトＢ１のオーナーは、ＢさんからＡさんに変更される（図７のステップＳ１０４及びステップＳ１０６参照）。
【００６７】
最後に、ワークエリアＷの境界線６１の位置を変更する操作について説明する。
【００６８】
図１１は、Ｂさんが自分のタッチペン３０でオブジェクトＢ１の外にタッチ操作をした結果を示している。タッチペン３０のタッチ位置を含む一定の大きさの領域Ｒ２が確保され、領域Ｒ２のオーナーがＢさんに設定される（図８のステップＳ２００、ステップＳ２０２、及びステップＳ２０４参照）。つまり、閉じた境界線６１の内側がＢさんの領域Ｒ２となり、閉じた境界線６１の外側がＡさんの領域Ｒ１となる。
【００６９】
なお、図１１において領域Ｒ２が設定される場合に、領域Ｒ２の中に領域オーナー自身のオブジェクトが存在するときは、そのオブジェクトを内包するように領域Ｒ２が設定されてもよい。
【００７０】
図１２は、Ｂさんが自分のタッチペン３０で新たな境界線６１を描画した結果を示している。新たな境界線６１により画定された領域Ｒ２のオーナーが、Ｂさんに設定される（図８のステップＳ２０６及びステップＳ２０４参照）。ワークエリアＷの残余の部分である領域Ｒ１のオーナーは、Ａさんである。
【００７１】
Ａさんも、Ｂさんと同様の操作によって境界線６１の位置を変更することができる。
【００７２】
上記した実施形態の説明は、本発明における好適な実施形態を説明しているため、技術的に好ましい種々の限定を付している場合もあるが、本発明の技術範囲は、特に本発明を限定する記載がない限り、これらの態様に限定されるものではない。すなわち、上記実施形態における構成要素は適宜、既存の構成要素等との置き換えが可能であり、かつ、他の既存の構成要素との組合せを含む様々なバリエーションが可能である。上記実施形態の記載をもって、特許請求の範囲に記載された発明の内容を限定するものではない。
【００７３】
（１）本実施形態では、図１０〜図１２に示されるように、２人のユーザーがワークエリアＷを共用したが、これに限られない。１人のユーザーが単独でワークエリアＷを使用する場合でも、利点が得られる。例えば、自分が作成した文書ファイルに基づくオブジェクトの表示が、自分以外の者が作成した文書ファイルに基づくオブジェクトによって邪魔されることが抑制される。ワークエリアＷを共用するユーザーの数は、３人以上でもよい。
【００７４】
（２）本実施形態では、図３に示されるように、情報処理装置１０がタッチデータ受信部２５とは別にペンデータ受信部３５を備えたが、これに限られない。タッチ入力部２２が指タッチ出力とペンタッチ出力とを区別して出力でき、かつタッチデータ受信部２５がタッチペン３０から送信されたペンデータを受信できるのであれば、ペンデータ受信部３５が省略されてもよい。
【産業上の利用可能性】
【００７５】
本発明は、情報処理装置の分野に利用可能である。
【符号の説明】
【００７６】
１０      情報処理装置
２０      表示装置
２１      表示部
２２      タッチ入力部
３０      タッチペン
５０      制御部
５１      オブジェクト管理部（第１管理部）
５２      領域管理部（第２管理部）
５３      ペン管理部（第３管理部）
５４      オブジェクト制御部（表示制御部）
【図１】
2020101892.tif 000003
【図２】
2020101892.tif 000004
【図３】
2020101892.tif 000005
【図４】
2020101892.tif 000006
【図５】
2020101892.tif 000007
【図６】
2020101892.tif 000008
【図７】
2020101892.tif 000009
【図８】
2020101892.tif 000010
【図９】
2020101892.tif 000011
【図１０】
2020101892.tif 000012
【図１１】
2020101892.tif 000013
【図１２】
2020101892.tif 000014